(57)【要約】【課題】本発明は自動で洗浄可能な漢方薬塊状根の研磨装置を開示した。【解決手段】装置主体を含み、前記装置主体の頂面には研磨チャンバが設置され、前記研磨チャンバの底壁には第一スライドチャンバが設置され、前記第一スライドチャンバの中には左右対称の二つの半円形ブロックが設置され、二つの前記半円形ブロックのうち互いに近接している一つの側面には歯が固定的に設置され、本発明の研磨装置は自動化程度が高く、漢方薬押し砕き棒と半円形ブロックとの協働によって、塊状の漢方薬を細かく砕き、そして漢方薬押し砕き棒の底面と弧状板とを当接させることによって、塊状の漢方薬を研磨し、しかも本装置の研磨速度が早く、弧状板を入れ替えることができ、それによって漢方薬の粉末の粗さを変えることができ、また本装置は研磨を完成した後に自動的に洗浄されることができ、人によって洗浄することの面倒を避け、時間を節約する。【選択図】図１
2020203272.tif 000002
【特許請求の範囲】
【請求項１】
正面視で、装置主体を含み、前記装置主体の頂面には研磨チャンバが設置され、前記研磨チャンバの底壁には第一スライドチャンバが設置され、前記第一スライドチャンバの中には左右対称の二つの半円形ブロックが設置され、二つの前記半円形ブロックのうち互いに近接している一つの側面には歯が固定的に設置され、前記第一スライドチャンバの後壁には第二スライドチャンバが設置され、前記第二スライドチャンバの中には左右対称の二つのスライドブロックがスライドできるように設置され、前記スライドブロックの前側面と前記半円形ブロックとが固定され、前記第二スライドチャンバの左側内壁の中には小モーターが固定的に嵌められ、前記小モーターの右側には横向きスクリューが動力が伝達できるように連結され、前記横向きスクリューと前記スライドブロックとがいずれもネジ山によって嵌合され、前記第二スライドチャンバの左右内壁の間にはスライドガイドロッドが固定的に設置され、前記スライドガイドロッドが二つの前記スライドブロックを貫通しており、且つ前記スライドブロックとスライドできるように連結され、前記第一スライドチャンバの底壁には漢方薬排出溝が形成されており、前記漢方薬排出溝の底壁の中には底部ブロックがスライドできるように設置され、前記底部ブロックは前側から引き出すことができ、前記底部ブロックには研磨機構が設置され、
前記装置主体の頂部には上カバーが設置され、前記上カバーの底面には漢方薬押し砕き棒機構が設置され、前記漢方薬押し砕き棒機構は主に漢方薬押し砕き棒を含み、前記漢方薬押し砕き棒は前記研磨機構と互いに作動し合って塊状の漢方薬を押し砕いて研磨することができ、前記漢方薬押し砕き棒は洗浄機構に入れ替えられて前記上カバーの底部に取り付けられることができることを特徴とする自動で洗浄可能な漢方薬塊状根の研磨装置。
【請求項２】
前記漢方薬押し砕き棒機構はまた前記上カバーの中に設置された動力チャンバを含み、前記動力チャンバの頂壁の中には動力モーターが固定的に嵌められ、前記動力モーターの底端にはスプライン軸が動力が伝達できるように連結され、前記動力チャンバの中に位置している前記スプライン軸の外周には動力ギヤが固定的に設置され、前記上カバーの底面には長スライドブロックがスライドできるように取り付けられ、前記長スライドブロックの左側面には引っ掛かり溝が形成されており、前記スプライン軸が前記長スライドブロックの中に挿し込まれて前記長スライドブロックと隙間を介して嵌め合い、前記長スライドブロックの中には回転スリーブが回転できるように設置され、前記回転スリーブは前記スプライン軸とスプラインによって嵌合され、前記回転スリーブの底面には前記漢方薬押し砕き棒が固定的に設置され、前記漢方薬押し砕き棒の外周にも前記歯と同じように設置された歯が固定的に設置されていることを特徴とする請求項１に記載の自動で洗浄可能な漢方薬塊状根の研磨装置。
【請求項３】
前記上カバーの中には小空きチャンバが設置され、前記小空きチャンバが前記動力チャンバの左側のうち下方に近接しているところに位置しており、前記小空きチャンバの中にはラックがスライドできるように設置され、前記ラックは右方へスライドして前記引っ掛かり溝の中に挿し込まれ、前記長スライドブロックの位置が制限固定され、前記小空きチャンバの頂壁の中には回転軸が回転できるように設置され、前記回転軸の頂端には蝶形つまみが固定的に設置され、前記回転軸の底端にはワイドギヤが固定的に設置され、前記ワイドギヤが前記ラックの前側に位置しており、また前記ワイドギヤと前記ラックとが噛み合うように設置され、手動で前記蝶形つまみを回すことによって、前記ワイドギヤが前記ラックを連動させて前記引っ掛かり溝の中に挿し込み、更に前記長スライドブロックが固定されることを特徴とする請求項１に記載の自動で洗浄可能な漢方薬塊状根の研磨装置。
【請求項４】
前記動力チャンバの底壁の中には鋼管が回転できるように設置され、前記鋼管の頂端には前記動力チャンバの中に位置している従動ギヤが固定的に設置され、前記従動ギヤと前記動力ギヤとが噛み合っており、前記鋼管の底部が前記研磨チャンバの中に伸びており、また前記鋼管の底部末端には五つの水噴射パイプが固定的に設置され、前記鋼管がビニールパイプによって外部空間の水源と連通しており、前記ビニールパイプと前記上カバーとが固定されており、前記ビニールパイプの中にはポンプが固定的に設置され、
従動ギヤの回転によって、前記水噴射パイプを回転連動させて水を噴射し、更に洗浄を行えることを特徴とする請求項３に記載の自動で洗浄可能な漢方薬塊状根の研磨装置。
【請求項５】
前記第二スライドチャンバの右側には伝動チャンバが設置され、前記横向きスクリューが前記伝動チャンバの中に伸びており、また前記横向きスクリューの末端には動力ベベルギヤが固定的に設置され、前記上カバーの底面にはスライドロッドが固定的に設置され、前記スライドロッドが前記装置主体の頂面の中に伸びており、且つ前記装置主体とスライドできるように連結され、前記スライドロッドの中にはスクリュー軸がネジ山によって連結され、前記スクリュー軸と前記伝動チャンバの頂壁とが回転できるように連結され、前記スクリュー軸の底部が前記伝動チャンバの中に伸びており、また前記スクリュー軸の底端には従動ベベルギヤが固定的に設置され、前記従動ベベルギヤと前記動力ベベルギヤとが噛み合っていることを特徴とする請求項２に記載の自動で洗浄可能な漢方薬塊状根の研磨装置。
【請求項６】
前記洗浄機構は洗浄柱を含み、前記洗浄柱の外周にはブラシが固定的に設置され、前記洗浄柱の頂面には環状板が固定的に設置され、前記環状板の頂面にも前記ブラシが固定的に設置されていることを特徴とする請求項１に記載の自動で洗浄可能な漢方薬塊状根の研磨装置。
【請求項７】
前記研磨機構は前記底部ブロックの頂面に形成された底部スライド溝を含み、前記底部スライド溝の中にはスライド板がスライドできるように設置され、前記スライド板の頂面には支持ブロックが固定的に設置され、前記支持ブロックの頂部に弧状板を取り付けることができ、前記弧状板には均等的に配置された細貫通穴が開いており、前記弧状板と前記漢方薬押し砕き棒の底面とが作動し合い、それによって塊状の漢方薬への研磨を実現し、前記底部スライド溝の底壁の中には底部スクリュー軸が回転できるように設置され、前記底部スクリュー軸の頂部の部分と前記スライド板とがネジ山によって嵌合され、前記底部スクリュー軸の底端にはつまみが固定的に設置されていることを特徴とする請求項１に記載の自動で洗浄可能な漢方薬塊状根の研磨装置。
【請求項８】
前記装置主体の左側面には漏斗が固定的に設置され、前記漏斗と前記小空きチャンバとが連通しており、塊状の漢方薬を前記漏斗から前記研磨チャンバの中に入れることができることを特徴とする請求項１に記載の自動で洗浄可能な漢方薬塊状根の研磨装置。
【発明の詳細な説明】
【技術分野】
【０００１】
本発明は医薬研磨技術分野に関わり、具体的には自動で洗浄可能な漢方薬塊状根の研磨装置である。
【背景技術】
【０００２】
塊状の漢方薬を加工する時、それを粉末に研磨する必要があり、それによって漢方薬のカプセルに製造するのに便利を与える。
伝統的な漢方薬の研磨は一般的に人によって塊状の漢方薬を薬研の中に入れ、押し砕き棒で研磨し、この方法は時間や力を費やし、しかも薬品を研磨した後に手動で薬研を洗浄する必要があり、非常に面倒くさく、従って、自動的に洗浄できて便利で快速の研磨装置をデザインする必要がある。
【先行技術文献】
【特許文献】
【０００３】
【特許文献１】中国特許出願公開第１０７１５９４２１号明細書
【発明の概要】
【発明が解決しようとする課題】
【０００４】
本発明は自動で洗浄可能な漢方薬塊状根の研磨装置を提供し、既存技術にある上記欠点を解消することを目的とする。
【課題を解決するための手段】
【０００５】
本発明の実施例の自動で洗浄可能な漢方薬塊状根の研磨装置は、装置主体を含み、前記装置主体の頂面には研磨チャンバが設置され、前記研磨チャンバの底壁には第一スライドチャンバが設置され、前記第一スライドチャンバの中には左右対称の二つの半円形ブロックが設置され、二つの前記半円形ブロックのうち互いに近接している一つの側面には歯が固定的に設置され、前記第一スライドチャンバの後壁には第二スライドチャンバが設置され、前記第二スライドチャンバの中には左右対称の二つのスライドブロックがスライドできるように設置され、前記スライドブロックの前側面と前記半円形ブロックとが固定され、前記第二スライドチャンバの左側内壁の中には小モーターが固定的に嵌められ、前記小モーターの右側には横向きスクリューが動力が伝達できるように連結され、前記横向きスクリューと前記スライドブロックとがいずれもネジ山によって嵌合され、前記第二スライドチャンバの左右内壁の間にはスライドガイドロッドが固定的に設置され、前記スライドガイドロッドが二つの前記スライドブロックを貫通しており、且つ前記スライドブロックとスライドできるように連結され、前記第一スライドチャンバの底壁には漢方薬排出溝が形成されており、前記漢方薬排出溝の底壁の中には底部ブロックがスライドできるように設置され、前記底部ブロックは前側から引き出すことができ、前記底部ブロックには研磨機構が設置され、前記装置主体の頂部には上カバーが設置され、前記上カバーの底面には漢方薬押し砕き棒機構が設置され、前記漢方薬押し砕き棒機構は主に漢方薬押し砕き棒を含み、前記漢方薬押し砕き棒は前記研磨機構と互いに作動し合って塊状の漢方薬を押し砕いて研磨することができ、前記漢方薬押し砕き棒は洗浄機構に入れ替えられて前記上カバーの底部に取り付けられることができる。
【０００６】
さらなる技術プランには、前記漢方薬押し砕き棒機構はまた前記上カバーの中に設置された動力チャンバを含み、前記動力チャンバの頂壁の中には動力モーターが固定的に嵌められ、前記動力モーターの底端にはスプライン軸が動力が伝達できるように連結され、前記動力チャンバの中に位置している前記スプライン軸の外周には動力ギヤが固定的に設置され、前記上カバーの底面には長スライドブロックがスライドできるように取り付けられ、前記長スライドブロックの左側面には引っ掛かり溝が形成されており、前記スプライン軸が前記長スライドブロックの中に挿し込まれて前記長スライドブロックと隙間を介して嵌め合い、前記長スライドブロックの中には回転スリーブが回転できるように設置され、前記回転スリーブは前記スプライン軸とスプラインによって嵌合され、前記回転スリーブの底面には前記漢方薬押し砕き棒が固定的に設置され、前記漢方薬押し砕き棒の外周にも前記歯と同じように設置された歯が固定的に設置されている。
【０００７】
さらなる技術プランには、前記上カバーの中には小空きチャンバが設置され、前記小空きチャンバが前記動力チャンバの左側のうち下方に近接しているところに位置しており、前記小空きチャンバの中にはラックがスライドできるように設置され、前記ラックは右方へスライドして前記引っ掛かり溝の中に挿し込まれ、前記長スライドブロックの位置が制限固定され、前記小空きチャンバの頂壁の中には回転軸が回転できるように設置され、前記回転軸の頂端には蝶形つまみが固定的に設置され、前記回転軸の底端にはワイドギヤが固定的に設置され、前記ワイドギヤが前記ラックの前側に位置しており、また前記ワイドギヤと前記ラックとが噛み合うように設置され、手動で前記蝶形つまみを回すことによって、前記ワイドギヤが前記ラックを連動させて前記引っ掛かり溝の中に挿し込み、更に前記長スライドブロックが固定される。
【０００８】
さらなる技術プランには、前記動力チャンバの底壁の中には鋼管が回転できるように設置され、前記鋼管の頂端には前記動力チャンバの中に位置している従動ギヤが固定的に設置され、前記従動ギヤと前記動力ギヤとが噛み合っており、前記鋼管の底部が前記研磨チャンバの中に伸びており、また前記鋼管の底部末端には五つの水噴射パイプが固定的に設置され、前記鋼管がビニールパイプによって外部空間の水源と連通しており、前記ビニールパイプと前記上カバーとが固定されており、前記ビニールパイプの中にはポンプが固定的に設置され、
従動ギヤの回転によって、前記水噴射パイプを回転連動させて水を噴射する。
【０００９】
さらなる技術プランには、前記第二スライドチャンバの右側には伝動チャンバが設置され、前記横向きスクリューが前記伝動チャンバの中に伸びており、また前記横向きスクリューの末端には動力ベベルギヤが固定的に設置され、前記上カバーの底面にはスライドロッドが固定的に設置され、前記スライドロッドが前記装置主体の頂面の中に伸びており、且つ前記装置主体とスライドできるように連結され、前記スライドロッドの中にはスクリュー軸がネジ山によって連結され、前記スクリュー軸と前記伝動チャンバの頂壁とが回転できるように連結され、前記スクリュー軸の底部が前記伝動チャンバの中に伸びており、また前記スクリュー軸の底端には従動ベベルギヤが固定的に設置され、前記従動ベベルギヤと前記動力ベベルギヤとが噛み合っている。
【００１０】
さらなる技術プランには、前記洗浄機構は洗浄柱を含み、前記洗浄柱の外周にはブラシが固定的に設置され、前記洗浄柱の頂面には環状板が固定的に設置され、前記環状板の頂面にも前記ブラシが固定的に設置されている。
【００１１】
さらなる技術プランには、前記研磨機構は前記底部ブロックの頂面に形成された底部スライド溝を含み、前記底部スライド溝の中にはスライド板がスライドできるように設置され、前記スライド板の頂面には支持ブロックが固定的に設置され、前記支持ブロックの頂部に弧状板を取り付けることができ、前記弧状板には均等的に配置された細貫通穴が開いており、前記弧状板と前記漢方薬押し砕き棒の底面とが作動し合い、それによって塊状の漢方薬への研磨を実現し、前記底部スライド溝の底壁の中には底部スクリュー軸が回転できるように設置され、前記底部スクリュー軸の頂部の部分と前記スライド板とがネジ山によって嵌合され、前記底部スクリュー軸の底端にはつまみが固定的に設置されている。
【００１２】
さらなる技術プランには、前記装置主体の左側面には漏斗が固定的に設置され、前記漏斗と前記小空きチャンバとが連通しており、塊状の漢方薬を前記漏斗から前記研磨チャンバの中に入れることができる。
【発明の効果】
【００１３】
本発明の有益な効果は：伝統的な研磨装置と比べて、本発明の研磨装置は自動化程度が高く、漢方薬押し砕き棒と半円形ブロックとの協働によって、塊状の漢方薬を細かく砕き、そして漢方薬押し砕き棒の底面と弧状板とを当接させることによって、塊状の漢方薬を研磨し、しかも本装置の研磨速度が早く、弧状板を入れ替えることができ、それによって漢方薬の粉末の粗さを変えることができ、また本装置は研磨を完成した後に自動的に洗浄されることができ、人によって洗浄することの面倒を避け、時間を節約する。
【図面の簡単な説明】
【００１４】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１５】
【図１】図１は本発明の自動で洗浄可能な漢方薬塊状根の研磨装置の内部全体構成概略図
【図２】図２は本発明の中の半円形ブロックの平面図
【図３】図３は本発明の附図の中の洗浄機構の概略図
【図４】図４は本発明の附図の中の研磨機構の拡大概略図
【図５】図５は本発明の中の弧状板の概略図
【発明を実施するための形態】
【００１６】
図１〜５を参照し、本発明の実施例の自動で洗浄可能な漢方薬塊状根の研磨装置は、装置主体１０を含み、前記装置主体１０の頂面には研磨チャンバ３６が設置され、前記研磨チャンバ３６の底壁には第一スライドチャンバ３７が設置され、前記第一スライドチャンバ３７の中には左右対称の二つの半円形ブロック４３が設置され、二つの前記半円形ブロック４３のうち互いに近接している一つの側面には歯４２が固定的に設置され、前記第一スライドチャンバ３７の後壁には第二スライドチャンバ３８が設置され、前記第二スライドチャンバ３８の中には左右対称の二つのスライドブロック４１がスライドできるように設置され、前記スライドブロック４１の前側面と前記半円形ブロック４３とが固定され、前記第二スライドチャンバ３８の左側内壁の中には小モーター３９が固定的に嵌められ、前記小モーター３９の右側には横向きスクリュー４０が動力が伝達できるように連結され、前記横向きスクリュー４０と前記スライドブロック４１とがいずれもネジ山によって嵌合され、前記第二スライドチャンバ３８の左右内壁の間にはスライドガイドロッド４５が固定的に設置され、前記スライドガイドロッド４５が二つの前記スライドブロック４１を貫通しており、且つ前記スライドブロック４１とスライドできるように連結され、前記第一スライドチャンバ３７の底壁には漢方薬排出溝５１が形成されており、前記漢方薬排出溝５１の底壁の中には底部ブロック５７がスライドできるように設置され、前記底部ブロック５７は前側から引き出すことができ、前記底部ブロック５７には研磨機構８１が設置され、前記装置主体１０の頂部には上カバー１２が設置され、前記上カバー１２の底面には漢方薬押し砕き棒機構８２が設置され、前記漢方薬押し砕き棒機構８２は主に漢方薬押し砕き棒２４を含み、前記漢方薬押し砕き棒２４は前記研磨機構８１と互いに作動し合って塊状の漢方薬を押し砕いて研磨することができ、前記漢方薬押し砕き棒２４は洗浄機構８３に入れ替えられて前記上カバー１２の底部に取り付けられることができる。
【００１７】
有益な又は例示のように、前記漢方薬押し砕き棒機構８２はまた前記上カバー１２の中に設置された動力チャンバ１９を含み、前記動力チャンバ１９の頂壁の中には動力モーター２１が固定的に嵌められ、前記動力モーター２１の底端にはスプライン軸２２が動力が伝達できるように連結され、前記動力チャンバ１９の中に位置している前記スプライン軸２２の外周には動力ギヤ２０が固定的に設置され、前記上カバー１２の底面には長スライドブロック７０がスライドできるように取り付けられ、前記長スライドブロック７０の左側面には引っ掛かり溝２５が形成されており、前記スプライン軸２２が前記長スライドブロック７０の中に挿し込まれて前記長スライドブロック７０と隙間を介して嵌め合い、前記長スライドブロック７０の中には回転スリーブ２３が回転できるように設置され、前記回転スリーブ２３は前記スプライン軸２２とスプラインによって嵌合され、前記回転スリーブ２３の底面には前記漢方薬押し砕き棒２４が固定的に設置され、前記漢方薬押し砕き棒２４の外周にも前記歯４２と同じように設置された歯が固定的に設置され、
前記漢方薬押し砕き棒２４が回転して前記半円形ブロック４３との協働によって、塊状の漢方薬が細かく研磨されることができる。
【００１８】
有益な又は例示のように、前記上カバー１２の中には小空きチャンバ１６が設置され、前記小空きチャンバ１６が前記動力チャンバ１９の左側のうち下方に近接しているところに位置しており、前記小空きチャンバ１６の中にはラック１４がスライドできるように設置され、前記ラック１４は右方へスライドして前記引っ掛かり溝２５の中に挿し込まれ、前記長スライドブロック７０の位置が制限固定され、前記小空きチャンバ１６の頂壁の中には回転軸１７が回転できるように設置され、前記回転軸１７の頂端には蝶形つまみ１８が固定的に設置され、前記回転軸１７の底端にはワイドギヤ１５が固定的に設置され、前記ワイドギヤ１５が前記ラック１４の前側に位置しており、また前記ワイドギヤ１５と前記ラック１４とが噛み合うように設置され、手動で前記蝶形つまみ１８を回すことによって、前記ワイドギヤ１５が前記ラック１４を連動させて前記引っ掛かり溝２５の中に挿し込み、更に前記長スライドブロック７０が固定される。
【００１９】
有益な又は例示のように、前記動力チャンバ１９の底壁の中には鋼管２９が回転できるように設置され、前記鋼管２９の頂端には前記動力チャンバ１９の中に位置している従動ギヤ２７が固定的に設置され、前記従動ギヤ２７と前記動力ギヤ２０とが噛み合っており、前記鋼管２９の底部が前記研磨チャンバ３６の中に伸びており、また前記鋼管２９の底部末端には五つの水噴射パイプ３０が固定的に設置され、前記鋼管２９がビニールパイプ２８によって外部空間の水源と連通しており、前記ビニールパイプ２８と前記上カバー１２とが固定されており、前記ビニールパイプ２８の中にはポンプ２６が固定的に設置され、
従動ギヤ２７の回転によって、前記水噴射パイプ３０を回転連動させて水を噴射する。
【００２０】
有益な又は例示のように、前記第二スライドチャンバ３８の右側には伝動チャンバ３５が設置され、前記横向きスクリュー４０が前記伝動チャンバ３５の中に伸びており、また前記横向きスクリュー４０の末端には動力ベベルギヤ３４が固定的に設置され、前記上カバー１２の底面にはスライドロッド３１が固定的に設置され、前記スライドロッド３１が前記装置主体１０の頂面の中に伸びており、且つ前記装置主体１０とスライドできるように連結され、前記スライドロッド３１の中にはスクリュー軸３２がネジ山によって連結され、前記スクリュー軸３２と前記伝動チャンバ３５の頂壁とが回転できるように連結され、前記スクリュー軸３２の底部が前記伝動チャンバ３５の中に伸びており、また前記スクリュー軸３２の底端には従動ベベルギヤ３３が固定的に設置され、前記従動ベベルギヤ３３と前記動力ベベルギヤ３４とが噛み合っており、
前記小モーター３９の作動によって、前記動力ベベルギヤ３４が前記従動ベベルギヤ３３を回転連動させ、更に前記上カバー１２が上方へスライドでき、それによって前記洗浄機構８３に入れ替えることに便利を与える。
【００２１】
有益な又は例示のように、前記洗浄機構８３は洗浄柱４７を含み、前記洗浄柱４７の外周にはブラシ４８が固定的に設置され、前記洗浄柱４７の頂面には環状板４６が固定的に設置され、前記環状板４６の頂面にも前記ブラシ４８が固定的に設置され、
前記洗浄柱４７の回転によって、前記研磨チャンバ３６の内壁と前記半円形ブロック４３とを洗浄することができる。
【００２２】
有益な又は例示のように、前記研磨機構８１は前記底部ブロック５７の頂面に形成された底部スライド溝５４を含み、前記底部スライド溝５４の中にはスライド板５５がスライドできるように設置され、前記スライド板５５の頂面には支持ブロック５０が固定的に設置され、前記支持ブロック５０の頂部に弧状板４９を取り付けることができ、前記弧状板４９には均等的に配置された細貫通穴６２が開いており、前記弧状板４９と前記漢方薬押し砕き棒２４の底面とが作動し合い、それによって塊状の漢方薬への研磨を実現し、前記底部スライド溝５４の底壁の中には底部スクリュー軸５６が回転できるように設置され、前記底部スクリュー軸５６の頂部の部分と前記スライド板５５とがネジ山によって嵌合され、前記底部スクリュー軸５６の底端にはつまみ５８が固定的に設置され、
前記つまみ５８を回すことによって、前記スライド板５５が上昇と下降でき、更に弧状板４９を前記漢方薬押し砕き棒２４と当接させ又は前記漢方薬押し砕き棒２４から離脱させることができる。
【００２３】
有益な又は例示のように、前記装置主体１０の左側面には漏斗１１が固定的に設置され、前記漏斗１１と前記小空きチャンバ１６とが連通しており、塊状の漢方薬を前記漏斗１１から前記研磨チャンバ３６の中に入れ、前記上カバー１２を開けて塊状の漢方薬を入れるステップを省く。
【００２４】
漢方薬を研磨する時、最初に漢方薬押し砕き棒２４が付いている長スライドブロック７０を上カバー１２の底部に取り付けられ、手動で蝶形つまみ１８を回し、ラック１４が長スライドブロック７０を引っ掛からせ、その後、小モーター３９を制御して回転させ、更に二つのスライドブロック４１を互いに近づかせ、更に二つの歯４２を一つに合わせ、また動力ベベルギヤ３４に従動ベベルギヤ３３を回転連動させ、更に上カバー１２を下方へスライドさせることができ、研磨チャンバ３６の頂部を閉鎖し、動力モーター２１を制御して回転させ、スプライン軸２２に回転スリーブ２３を回転連動させ、更に漢方薬押し砕き棒２４を回転させ、更に半円形ブロック４３と漢方薬押し砕き棒２４とを協働して塊状の漢方薬を細かく砕き、そして漢方薬押し砕き棒２４と弧状板４９とが当接して研磨を行い、塊状の漢方薬を粉末状に研磨し、細貫通穴６２から落ち、研磨を完成した後、小モーター３９を制御して逆方向に回転させ、上カバー１２を上昇させ、漢方薬押し砕き棒２４を洗浄柱４７に入れ替え、そして上カバー１２を下方へ移動させ、またポンプ２６を制御して作動させ、動力モーター２１にスプライン軸２２を回転連動させ、従動ギヤ２７に鋼管２９を回転連動させて水を噴射させ、ブラシ４８に洗浄の作業を行わせる。
【００２５】
本発明の有益な効果は：伝統的な研磨装置と比べて、本発明の研磨装置は自動化程度が高く、漢方薬押し砕き棒と半円形ブロックとの協働によって、塊状の漢方薬を細かく砕き、そして漢方薬押し砕き棒の底面と弧状板とを当接させることによって、塊状の漢方薬を研磨し、しかも本装置の研磨速度が早く、弧状板を入れ替えることができ、それによって漢方薬の粉末の粗さを変えることができ、また本装置は研磨を完成した後に自動的に洗浄されることができ、人によって洗浄することの面倒を避け、時間を節約する。
【００２６】
当業者は明確できることは、本出願の総体精神及び構想から離脱しない限り、上記実施例に各種の変型を行うことができる。それらの変型はいずれも本出願の保護範囲中にカバーすべきである。本出願の保護方案は本出願に添付した特許の請求の範囲を基準とするべきである。
【図１】
2020203272.tif 000003
【図２】
2020203272.tif 000004
【図３】
2020203272.tif 000005
【図４】
2020203272.tif 000006
【図５】
2020203272.tif 000007
【手続補正書】
【提出日】令和2年2月28日(2020.2.28)
【手続補正１】
【補正対象書類名】特許請求の範囲
【補正対象項目名】全文
【補正方法】変更
【補正の内容】
【特許請求の範囲】
【請求項１】
正面視で、装置主体を含み、前記装置主体の上面には漏斗状の研磨チャンバが設置され、且つ前記研磨チャンバは上方と下方に開口し、前記研磨チャンバの底壁には矩形の第一スライドチャンバが設置され、前記第一スライドチャンバは上方と下方に開口し、前記第一スライドチャンバの中には左右対称の二つの半円形ブロックが設置され、二つの前記半円形ブロックのうち互いに近接している一つの側面には歯が固定的に設置され、前記第一スライドチャンバの後壁には第二スライドチャンバが設置され、前記第二スライドチャンバの中には左右対称の二つのスライドブロックがスライドできるように設置され、前記スライドブロックの前側面と前記半円形ブロックとが固定され、前記第二スライドチャンバの左側内壁の中には小モーターが固定的に嵌められ、前記小モーターの右側には横向きスクリューが動力が伝達できるように連結され、前記横向きスクリューと前記スライドブロックとがいずれもネジ山によって嵌合され、前記第二スライドチャンバの左右内壁の間にはスライドガイドロッドが固定的に設置され、前記スライドガイドロッドが二つの前記スライドブロックを貫通しており、且つ前記スライドブロックとスライドできるように連結され、前記第一スライドチャンバの底壁には漢方薬排出溝が形成されており、前記漢方薬排出溝の底壁の中には底部ブロックがスライドできるように設置され、前記底部ブロックは前側から引き出すことができ、前記底部ブロックには研磨機構が設置され、前記装置主体の上面には上カバーが設置され、前記上カバーの底面には漢方薬押し砕き棒機構が設置され、前記漢方薬押し砕き棒機構は漢方薬押し砕き棒を含み、前記漢方薬押し砕き棒は前記研磨機構と互いに作動し合って塊状の漢方薬を押し砕いて研磨することができ、前記漢方薬押し砕き棒は洗浄機構に入れ替えられて前記上カバーの底部に取り付けられることができ、
前記漢方薬押し砕き棒機構はまた前記上カバーの中に設置された動力チャンバを含み、前記動力チャンバの頂壁の中には動力モーターが固定的に嵌められ、前記動力モーターの底端にはスプライン軸が動力が伝達できるように連結され、前記動力チャンバの中に位置している前記スプライン軸の外周には動力ギヤが固定的に設置され、前記上カバーの底面には長スライドブロックがスライドできるように取り付けられ、前記長スライドブロックの左側面には引っ掛かり溝が形成されており、前記スプライン軸が前記長スライドブロックの中に挿し込まれて前記長スライドブロックと隙間を介して嵌め合い、前記長スライドブロックの中には回転スリーブが回転できるように設置され、前記回転スリーブは前記スプライン軸とスプラインによって嵌合され、前記回転スリーブの底面には前記漢方薬押し砕き棒が固定的に設置され、前記漢方薬押し砕き棒の外周にも前記歯と同じように設置された歯が固定的に設置され、
前記上カバーの中には小空きチャンバが設置され、前記小空きチャンバの右壁は開口し、前記小空きチャンバは前記動力チャンバの左下に位置し、前記小空きチャンバの中にはラックがスライドできるように設置され、前記ラックは右方へスライドして前記引っ掛かり溝の中に挿し込まれ、前記長スライドブロックの位置が制限固定され、前記小空きチャンバの頂壁の中には回転軸が回転できるように設置され、前記回転軸の頂端には蝶形つまみが固定的に設置され、前記回転軸の底端にはワイドギヤが固定的に設置され、前記ワイドギヤが前記ラックの前側に位置しており、また前記ワイドギヤと前記ラックとが噛み合うように設置され、手動で前記蝶形つまみを回すことによって、前記ワイドギヤが前記ラックを連動させて前記引っ掛かり溝の中に挿し込み、更に前記長スライドブロックが固定され、
前記動力チャンバの底壁の中には鋼管が回転できるように設置され、前記鋼管の頂端には前記動力チャンバの中に位置している従動ギヤが固定的に設置され、前記従動ギヤと前記動力ギヤとが噛み合っており、前記鋼管の底部が前記研磨チャンバの中に伸びており、また前記鋼管の底部末端には五つの水噴射パイプが固定的に設置され、前記鋼管がビニールパイプによって外部空間の水源と連通しており、前記ビニールパイプと前記上カバーとが固定されており、前記ビニールパイプの中にはポンプが固定的に設置され、従動ギヤの回転によって、前記水噴射パイプを回転連動させて水を噴射し、更に洗浄を行え、
前記第二スライドチャンバの右側には伝動チャンバが設置され、前記横向きスクリューが前記伝動チャンバの中に伸びており、また前記横向きスクリューの末端には動力ベベルギヤが固定的に設置され、前記上カバーの底面にはスライドロッドが固定的に設置され、前記スライドロッドが前記装置主体の中に伸びており、且つ前記装置主体とスライドできるように連結され、前記スライドロッドの中にはスクリュー軸がネジ山によって連結され、前記スクリュー軸と前記伝動チャンバの頂壁とが回転できるように連結され、前記スクリュー軸の底部が前記伝動チャンバの中に伸びており、また前記スクリュー軸の底端には従動ベベルギヤが固定的に設置され、前記従動ベベルギヤと前記動力ベベルギヤとが噛み合っており、
前記洗浄機構は洗浄柱を含み、前記洗浄柱の外周にはブラシが固定的に設置され、前記洗浄柱の頂面には環状板が固定的に設置され、前記環状板の頂面にも前記ブラシが固定的に設置され、
前記研磨機構は前記底部ブロックの頂面に形成された底部スライド溝を含み、前記底部スライド溝の中にはスライド板がスライドできるように設置され、前記スライド板の頂面には支持ブロックが固定的に設置され、前記支持ブロックの頂部に弧状板が取り付けられ、前記弧状板には均等的に配置された細貫通穴が開いており、前記弧状板と前記漢方薬押し砕き棒の底面とが作動し合い、それによって塊状の漢方薬への研磨を実現し、前記底部スライド溝の底壁の中には底部スクリュー軸が回転できるように設置され、前記底部スクリュー軸の頂部の部分と前記スライド板とがネジ山によって嵌合され、前記底部スクリュー軸の底端にはつまみが固定的に設置され、
前記装置主体の左側面には漏斗が固定的に設置され、前記漏斗と前記研磨チャンバとが連通しており、塊状の漢方薬を前記漏斗から前記研磨チャンバの中に入れることができることを特徴とする自浄可能な漢方薬塊状根の研磨装置。
【手続補正２】
【補正対象書類名】明細書
【補正対象項目名】全文
【補正方法】変更
【補正の内容】
【発明の詳細な説明】
【技術分野】
【０００１】
本発明は医薬研磨技術分野に関わり、具体的には自浄可能な漢方薬塊状根の研磨装置である。
【背景技術】
【０００２】
塊状の漢方薬を加工する時、それを粉末に研磨する必要があり、それによって漢方薬のカプセルに製造するのに便利を与える。伝統的な漢方薬の研磨は一般的に人によって塊状の漢方薬を薬研の中に入れ、押し砕き棒で研磨し、この方法は時間や力を費やし、しかも薬品を研磨した後に手動で薬研を洗浄する必要があり、非常に面倒くさく、従って、自動的に洗浄できて便利で快速の研磨装置をデザインする必要がある。
【先行技術文献】
【特許文献】
【０００３】
【特許文献１】中国特許出願公開第１０７１５９４２１号明細書
【発明の概要】
【発明が解決しようとする課題】
【０００４】
本発明は自浄可能な漢方薬塊状根の研磨装置を提供し、既存技術にある上記欠点を解消することを目的とする。
【課題を解決するための手段】
【０００５】
本発明の実施例の自浄可能な漢方薬塊状根の研磨装置は、装置主体を含み、前記装置主体の上面には漏斗状の研磨チャンバが設置され、且つ前記研磨チャンバは上方と下方に開口し、前記研磨チャンバの底壁には矩形の第一スライドチャンバが設置され、前記第一スライドチャンバは上方と下方に開口し、前記第一スライドチャンバの中には左右対称の二つの半円形ブロックが設置され、二つの前記半円形ブロックのうち互いに近接している一つの側面には歯が固定的に設置され、前記第一スライドチャンバの後壁には第二スライドチャンバが設置され、前記第二スライドチャンバの中には左右対称の二つのスライドブロックがスライドできるように設置され、前記スライドブロックの前側面と前記半円形ブロックとが固定され、前記第二スライドチャンバの左側内壁の中には小モーターが固定的に嵌められ、前記小モーターの右側には横向きスクリューが動力が伝達できるように連結され、前記横向きスクリューと前記スライドブロックとがいずれもネジ山によって嵌合され、前記第二スライドチャンバの左右内壁の間にはスライドガイドロッドが固定的に設置され、前記スライドガイドロッドが二つの前記スライドブロックを貫通しており、且つ前記スライドブロックとスライドできるように連結され、前記第一スライドチャンバの底壁には漢方薬排出溝が形成されており、前記漢方薬排出溝の底壁の中には底部ブロックがスライドできるように設置され、前記底部ブロックは前側から引き出すことができ、前記底部ブロックには研磨機構が設置され、前記装置主体の上面には上カバーが設置され、前記上カバーの底面には漢方薬押し砕き棒機構が設置され、前記漢方薬押し砕き棒機構は漢方薬押し砕き棒を含み、前記漢方薬押し砕き棒は前記研磨機構と互いに作動し合って塊状の漢方薬を押し砕いて研磨することができ、前記漢方薬押し砕き棒は洗浄機構に入れ替えられて前記上カバーの底部に取り付けられることができる。
【０００６】
さらなる技術プランには、前記漢方薬押し砕き棒機構はまた前記上カバーの中に設置された動力チャンバを含み、前記動力チャンバの頂壁の中には動力モーターが固定的に嵌められ、前記動力モーターの底端にはスプライン軸が動力が伝達できるように連結され、前記動力チャンバの中に位置している前記スプライン軸の外周には動力ギヤが固定的に設置され、前記上カバーの底面には長スライドブロックがスライドできるように取り付けられ、前記長スライドブロックの左側面には引っ掛かり溝が形成されており、前記スプライン軸が前記長スライドブロックの中に挿し込まれて前記長スライドブロックと隙間を介して嵌め合い、前記長スライドブロックの中には回転スリーブが回転できるように設置され、前記回転スリーブは前記スプライン軸とスプラインによって嵌合され、前記回転スリーブの底面には前記漢方薬押し砕き棒が固定的に設置され、前記漢方薬押し砕き棒の外周にも前記歯と同じように設置された歯が固定的に設置されている。
【０００７】
さらなる技術プランには、前記上カバーの中には小空きチャンバが設置され、前記小空きチャンバの右壁は開口し、前記小空きチャンバは前記動力チャンバの左下に位置し、前記小空きチャンバの中にはラックがスライドできるように設置され、前記ラックは右方へスライドして前記引っ掛かり溝の中に挿し込まれ、前記長スライドブロックの位置が制限固定され、前記小空きチャンバの頂壁の中には回転軸が回転できるように設置され、前記回転軸の頂端には蝶形つまみが固定的に設置され、前記回転軸の底端にはワイドギヤが固定的に設置され、前記ワイドギヤが前記ラックの前側に位置しており、また前記ワイドギヤと前記ラックとが噛み合うように設置され、
手動で前記蝶形つまみを回すことによって、前記ワイドギヤが前記ラックを連動させて前記引っ掛かり溝の中に挿し込み、更に前記長スライドブロックが固定される。
【０００８】
さらなる技術プランには、前記動力チャンバの底壁の中には鋼管が回転できるように設置され、前記鋼管の頂端には前記動力チャンバの中に位置している従動ギヤが固定的に設置され、前記従動ギヤと前記動力ギヤとが噛み合っており、前記鋼管の底部が前記研磨チャンバの中に伸びており、また前記鋼管の底部末端には五つの水噴射パイプが固定的に設置され、前記鋼管がビニールパイプによって外部空間の水源と連通しており、前記ビニールパイプと前記上カバーとが固定されており、前記ビニールパイプの中にはポンプが固定的に設置され、
従動ギヤの回転によって、前記水噴射パイプを回転連動させて水を噴射する。
【０００９】
さらなる技術プランには、前記第二スライドチャンバの右側には伝動チャンバが設置され、前記横向きスクリューが前記伝動チャンバの中に伸びており、また前記横向きスクリューの末端には動力ベベルギヤが固定的に設置され、前記上カバーの底面にはスライドロッドが固定的に設置され、前記スライドロッドが前記装置主体の中に伸びており、且つ前記装置主体とスライドできるように連結され、前記スライドロッドの中にはスクリュー軸がネジ山によって連結され、前記スクリュー軸と前記伝動チャンバの頂壁とが回転できるように連結され、前記スクリュー軸の底部が前記伝動チャンバの中に伸びており、また前記スクリュー軸の底端には従動ベベルギヤが固定的に設置され、前記従動ベベルギヤと前記動力ベベルギヤとが噛み合っている。
【００１０】
さらなる技術プランには、前記洗浄機構は洗浄柱を含み、前記洗浄柱の外周にはブラシが固定的に設置され、前記洗浄柱の頂面には環状板が固定的に設置され、前記環状板の頂面にも前記ブラシが固定的に設置されている。
【００１１】
さらなる技術プランには、前記研磨機構は前記底部ブロックの頂面に形成された底部スライド溝を含み、前記底部スライド溝の中にはスライド板がスライドできるように設置され、前記スライド板の頂面には支持ブロックが固定的に設置され、前記支持ブロックの頂部に弧状板が取り付けられ、前記弧状板には均等的に配置された細貫通穴が開いており、前記弧状板と前記漢方薬押し砕き棒の底面とが作動し合い、それによって塊状の漢方薬への研磨を実現し、前記底部スライド溝の底壁の中には底部スクリュー軸が回転できるように設置され、前記底部スクリュー軸の頂部の部分と前記スライド板とがネジ山によって嵌合され、前記底部スクリュー軸の底端にはつまみが固定的に設置されている。
【００１２】
さらなる技術プランには、前記装置主体の左側面には漏斗が固定的に設置され、前記漏斗と前記研磨チャンバとが連通しており、塊状の漢方薬を前記漏斗から前記研磨チャンバの中に入れることができる。
【発明の効果】
【００１３】
本発明の有益な効果は：伝統的な研磨装置と比べて、本発明の研磨装置は自動化程度が高く、漢方薬押し砕き棒と半円形ブロックとの協働によって、塊状の漢方薬を細かく砕き、そして漢方薬押し砕き棒の底面と弧状板とを当接させることによって、塊状の漢方薬を研磨し、しかも本装置の研磨速度が早く、弧状板を入れ替えることができ、それによって漢方薬の粉末の粗さを変えることができ、また本装置は研磨を完成した後に自動的に洗浄されることができ、人によって洗浄することの面倒を避け、時間を節約する。
【図面の簡単な説明】
【００１４】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１５】
【図１】図１は本発明の自浄可能な漢方薬塊状根の研磨装置の内部全体構成概略図
【図２】図２は本発明の中の半円形ブロックの平面図
【図３】図３は本発明の附図の中の洗浄機構の概略図
【図４】図４は本発明の附図の中の研磨機構の拡大概略図
【図５】図５は本発明の中の弧状板の概略図
【発明を実施するための形態】
【００１６】
図１〜５を参照し、本発明の実施例の自浄可能な漢方薬塊状根の研磨装置は、装置主体１０を含み、前記装置主体１０の上面には漏斗状の研磨チャンバ３６が設置され、且つ前記研磨チャンバ３６は上方と下方に開口し、前記研磨チャンバ３６の底壁には矩形の第一スライドチャンバ３７が設置され、前記第一スライドチャンバ３７は上方と下方に開口し、前記第一スライドチャンバ３７の中には左右対称の二つの半円形ブロック４３が設置され、二つの前記半円形ブロック４３のうち互いに近接している一つの側面には歯４２が固定的に設置され、前記第一スライドチャンバ３７の後壁には第二スライドチャンバ３８が設置され、前記第二スライドチャンバ３８の中には左右対称の二つのスライドブロック４１がスライドできるように設置され、前記スライドブロック４１の前側面と前記半円形ブロック４３とが固定され、前記第二スライドチャンバ３８の左側内壁の中には小モーター３９が固定的に嵌められ、前記小モーター３９の右側には横向きスクリュー４０が動力が伝達できるように連結され、前記横向きスクリュー４０と前記スライドブロック４１とがいずれもネジ山によって嵌合され、前記第二スライドチャンバ３８の左右内壁の間にはスライドガイドロッド４５が固定的に設置され、前記スライドガイドロッド４５が二つの前記スライドブロック４１を貫通しており、且つ前記スライドブロック４１とスライドできるように連結され、前記第一スライドチャンバ３７の底壁には漢方薬排出溝５１が形成されており、前記漢方薬排出溝５１の底壁の中には底部ブロック５７がスライドできるように設置され、前記底部ブロック５７は前側から引き出すことができ、前記底部ブロック５７には研磨機構８１が設置され、前記装置主体１０の上面には上カバー１２が設置され、前記上カバー１２の底面には漢方薬押し砕き棒機構８２が設置され、前記漢方薬押し砕き棒機構８２は漢方薬押し砕き棒２４を含み、前記漢方薬押し砕き棒２４は前記研磨機構８１と互いに作動し合って塊状の漢方薬を押し砕いて研磨することができ、前記漢方薬押し砕き棒２４は洗浄機構８３に入れ替えられて前記上カバー１２の底部に取り付けられることができる。
【００１７】
有益な又は例示のように、前記漢方薬押し砕き棒機構８２はまた前記上カバー１２の中に設置された動力チャンバ１９を含み、前記動力チャンバ１９の頂壁の中には動力モーター２１が固定的に嵌められ、前記動力モーター２１の底端にはスプライン軸２２が動力が伝達できるように連結され、前記動力チャンバ１９の中に位置している前記スプライン軸２２の外周には動力ギヤ２０が固定的に設置され、前記上カバー１２の底面には長スライドブロック７０がスライドできるように取り付けられ、前記長スライドブロック７０の左側面には引っ掛かり溝２５が形成されており、前記スプライン軸２２が前記長スライドブロック７０の中に挿し込まれて前記長スライドブロック７０と隙間を介して嵌め合い、前記長スライドブロック７０の中には回転スリーブ２３が回転できるように設置され、前記回転スリーブ２３は前記スプライン軸２２とスプラインによって嵌合され、前記回転スリーブ２３の底面には前記漢方薬押し砕き棒２４が固定的に設置され、前記漢方薬押し砕き棒２４の外周にも前記歯４２と同じように設置された歯が固定的に設置され、
前記漢方薬押し砕き棒２４が回転して前記半円形ブロック４３との協働によって、塊状の漢方薬が細かく研磨されることができる。
【００１８】
有益な又は例示のように、前記上カバー１２の中には小空きチャンバ１６が設置され、前記小空きチャンバ１６の右壁は開口し、前記小空きチャンバ１６は前記動力チャンバ１９の左下に位置し、前記小空きチャンバ１６の中にはラック１４がスライドできるように設置され、前記ラック１４は右方へスライドして前記引っ掛かり溝２５の中に挿し込まれ、前記長スライドブロック７０の位置が制限固定され、前記小空きチャンバ１６の頂壁の中には回転軸１７が回転できるように設置され、前記回転軸１７の頂端には蝶形つまみ１８が固定的に設置され、前記回転軸１７の底端にはワイドギヤ１５が固定的に設置され、前記ワイドギヤ１５が前記ラック１４の前側に位置しており、また前記ワイドギヤ１５と前記ラック１４とが噛み合うように設置され、
手動で前記蝶形つまみ１８を回すことによって、前記ワイドギヤ１５が前記ラック１４を連動させて前記引っ掛かり溝２５の中に挿し込み、更に前記長スライドブロック７０が固定される。
【００１９】
有益な又は例示のように、前記動力チャンバ１９の底壁の中には鋼管２９が回転できるように設置され、前記鋼管２９の頂端には前記動力チャンバ１９の中に位置している従動ギヤ２７が固定的に設置され、前記従動ギヤ２７と前記動力ギヤ２０とが噛み合っており、前記鋼管２９の底部が前記研磨チャンバ３６の中に伸びており、また前記鋼管２９の底部末端には五つの水噴射パイプ３０が固定的に設置され、前記鋼管２９がビニールパイプ２８によって外部空間の水源と連通しており、前記ビニールパイプ２８と前記上カバー１２とが固定されており、前記ビニールパイプ２８の中にはポンプ２６が固定的に設置され、
従動ギヤ２７の回転によって、前記水噴射パイプ３０を回転連動させて水を噴射する。
【００２０】
有益な又は例示のように、前記第二スライドチャンバ３８の右側には伝動チャンバ３５が設置され、前記横向きスクリュー４０が前記伝動チャンバ３５の中に伸びており、また前記横向きスクリュー４０の末端には動力ベベルギヤ３４が固定的に設置され、前記上カバー１２の底面にはスライドロッド３１が固定的に設置され、前記スライドロッド３１が前記装置主体１０の中に伸びており、且つ前記装置主体１０とスライドできるように連結され、前記スライドロッド３１の中にはスクリュー軸３２がネジ山によって連結され、前記スクリュー軸３２と前記伝動チャンバ３５の頂壁とが回転できるように連結され、前記スクリュー軸３２の底部が前記伝動チャンバ３５の中に伸びており、また前記スクリュー軸３２の底端には従動ベベルギヤ３３が固定的に設置され、前記従動ベベルギヤ３３と前記動力ベベルギヤ３４とが噛み合っており、
前記小モーター３９の作動によって、前記動力ベベルギヤ３４が前記従動ベベルギヤ３３を回転連動させ、更に前記上カバー１２が上方へスライドでき、それによって前記洗浄機構８３に入れ替えることに便利を与え、また、前記上カバー１２が降下すると、前記漢方薬押し砕き棒２４は連動して降下し、押圧力がかけられる。
【００２１】
有益な又は例示のように、前記洗浄機構８３は洗浄柱４７を含み、前記洗浄柱４７の外周にはブラシ４８が固定的に設置され、前記洗浄柱４７の頂面には環状板４６が固定的に設置され、前記環状板４６の頂面にも前記ブラシ４８が固定的に設置され、
前記洗浄柱４７の回転によって、前記研磨チャンバ３６の内壁と前記半円形ブロック４３とを洗浄することができる。
【００２２】
有益な又は例示のように、前記研磨機構８１は前記底部ブロック５７の頂面に形成された底部スライド溝５４を含み、前記底部スライド溝５４の中にはスライド板５５がスライドできるように設置され、前記スライド板５５の頂面には支持ブロック５０が固定的に設置され、前記支持ブロック５０の頂部に弧状板４９が取り付けられ、前記弧状板４９には均等的に配置された細貫通穴６２が開いており、前記弧状板４９と前記漢方薬押し砕き棒２４の底面とが作動し合い、それによって塊状の漢方薬への研磨を実現し、前記底部スライド溝５４の底壁の中には底部スクリュー軸５６が回転できるように設置され、前記底部スクリュー軸５６の頂部の部分と前記スライド板５５とがネジ山によって嵌合され、前記底部スクリュー軸５６の底端にはつまみ５８が固定的に設置され、
前記つまみ５８を回すことによって、前記スライド板５５が上昇と下降でき、更に弧状板４９を前記漢方薬押し砕き棒２４と当接させ又は前記漢方薬押し砕き棒２４から離脱させることができる。
【００２３】
有益な又は例示のように、前記装置主体１０の左側面には漏斗１１が固定的に設置され、前記漏斗１１と前記研磨チャンバ３６とが連通しており、塊状の漢方薬を前記漏斗１１から前記研磨チャンバ３６の中に入れ、前記上カバー１２を開けて塊状の漢方薬を入れるステップを省く。
【００２４】
漢方薬を研磨する時、最初に漢方薬押し砕き棒２４が付いている長スライドブロック７０を上カバー１２の底部に取り付けられ、手動で蝶形つまみ１８を回し、ラック１４が長スライドブロック７０を引っ掛からせ、その後、小モーター３９を制御して回転させ、更に二つのスライドブロック４１を互いに近づかせ、更に二つの歯４２を一つに合わせ、また動力ベベルギヤ３４に従動ベベルギヤ３３を回転連動させ、更に上カバー１２を下方へスライドさせることができ、研磨チャンバ３６の頂部を閉鎖し、動力モーター２１を制御して回転させ、スプライン軸２２に回転スリーブ２３を回転連動させ、更に漢方薬押し砕き棒２４を回転させ、更に半円形ブロック４３と漢方薬押し砕き棒２４とを協働して塊状の漢方薬を細かく砕き、そして漢方薬押し砕き棒２４と弧状板４９とが当接して研磨を行い、塊状の漢方薬を粉末状に研磨し、細貫通穴６２から落ち、研磨を完成した後、小モーター３９を制御して逆方向に回転させ、上カバー１２を上昇させ、漢方薬押し砕き棒２４を洗浄柱４７に入れ替え、そして上カバー１２を下方へ移動させ、またポンプ２６を制御して作動させ、動力モーター２１にスプライン軸２２を回転連動させ、従動ギヤ２７に鋼管２９を回転連動させて水を噴射させ、ブラシ４８に洗浄の作業を行わせる。
【００２５】
本発明の有益な効果は：伝統的な研磨装置と比べて、本発明の研磨装置は自動化程度が高く、漢方薬押し砕き棒と半円形ブロックとの協働によって、塊状の漢方薬を細かく砕き、そして漢方薬押し砕き棒の底面と弧状板とを当接させることによって、塊状の漢方薬を研磨し、しかも本装置の研磨速度が早く、弧状板を入れ替えることができ、それによって漢方薬の粉末の粗さを変えることができ、また本装置は研磨を完成した後に自動的に洗浄されることができ、人によって洗浄することの面倒を避け、時間を節約する。
【００２６】
当業者は明確できることは、本出願の総体精神及び構想から離脱しない限り、上記実施例に各種の変型を行うことができる。それらの変型はいずれも本出願の保護範囲中にカバーすべきである。本出願の保護方案は本出願に添付した特許の請求の範囲を基準とするべきである。